(57)【要約】【課題】  プリンタ内蔵型テレビジョン受像機において、ユーザが、テレビジョン受像機の外部から、筐体内に収納されたプリンタの状態を容易に把握できるようにする。【解決手段】  テレビジョン受像機１００は、筐体内に、プリンタ５０と、プリンタ５０を照明する照明装置６０とを備える。プリンタ５０は、照明装置６０によって照明されている部分が、筐体外から、ユーザによって視認可能な位置に設置する。照明装置６０は、プリンタ５０が印刷を行っているときに、印刷に用いられているインクの色に応じて、照明光の色を変化させる。【選択図】  図１
2006137007.tif 000002
【特許請求の範囲】
【請求項１】
テレビジョン受像機であって、
表示すべき画像データを入力する画像データ入力部と、
前記テレビジョン受像機の筐体内に設置され、ユーザからの指示に応じて、前記入力された画像データに基づく画像を印刷するプリンタと、
前記筐体内に設置され、前記プリンタの少なくとも一部を照明するための照明装置と、
前記照明装置の照明光を制御する制御部と、を備え、
前記プリンタは、前記ユーザが、前記プリンタの前記照明装置によって照明されている部分を、前記筐体外から視認可能な位置に設置されている、
テレビジョン受像機。
【請求項２】
請求項１記載のテレビジョン受像機であって、
前記制御部は、前記プリンタの動作状況に応じて、前記制御を行う、
テレビジョン受像機。
【請求項３】
請求項２記載のテレビジョン受像機であって、
前記制御部は、前記プリンタが印刷を行っているときに、前記照明装置が前記プリンタを照明するように、前記制御を行う、
テレビジョン受像機。
【請求項４】
請求項３記載のテレビジョン受像機であって、
前記プリンタは、互いに異なる色のインクを、所定の印刷媒体上に、所定の順序で付着させることによって印刷を行うカラープリンタであり、
前記照明装置は、前記照明光の色を変化させることが可能であり、
前記制御部は、前記プリンタが印刷を行っているインクの色に応じて、前記照明光の色を変化させる、
テレビジョン受像機。
【請求項５】
請求項４記載のテレビジョン受像機であって、
前記制御部は、前記照明光の色を、前記プリンタが印刷を行っているインクの色とほぼ同じ色に変化させる、
テレビジョン受像機。
【発明の詳細な説明】
【技術分野】
【０００１】
本発明は、プリンタを備えるプリンタ内蔵型テレビジョン受像機に関するものである。
【背景技術】
【０００２】
近年、テレビジョン受像機の表示部に表示された画像を印刷可能なプリンタを内蔵したいわゆるプリンタ内蔵型テレビジョン受像機が普及している。このようなプリンタ内蔵型テレビジョン受像機では、例えば、下記特許文献１に記載されているように、プリンタは、テレビジョン受像機の筐体内に収納される。
【０００３】
【特許文献１】特開２００３−１１０９５７号公報
【発明の開示】
【発明が解決しようとする課題】
【０００４】
しかし、プリンタ内蔵型テレビジョン受像機において、プリンタは、上述したように、テレビジョン受像機の筐体内に収納されているため、プリンタの周辺は筐体外よりも暗く、ユーザは、テレビジョン受像機の外部からプリンタの状態を容易に把握することができなかった。
【０００５】
本発明は、上述の課題を解決するためになされたものであり、プリンタ内蔵型テレビジョン受像機において、ユーザが、テレビジョン受像機の外部から、筐体内に収納されたプリンタの状態を容易に把握できるようにすることを目的とする。
【課題を解決するための手段】
【０００６】
上述の課題の少なくとも一部を解決するため、本発明では、以下の構成を採用した。
本発明のテレビジョン受像機は、
表示すべき画像データを入力する画像データ入力部と、
前記テレビジョン受像機の筐体内に設置され、ユーザからの指示に応じて、前記入力された画像データに基づく画像を印刷するプリンタと、
前記筐体内に設置され、前記プリンタの少なくとも一部を照明するための照明装置と、
前記照明装置の照明光を制御する制御部と、を備え、
前記プリンタは、前記ユーザが、前記プリンタが前記照明装置によって照明されている部分を、前記筐体外から視認可能な位置に設置されていることを要旨とする。
【０００７】
ここで、「照明光を制御する」とは、照明光のオン・オフ制御や、照明光を点滅させる制御や、照明光の点滅速度を変化させる制御や、照明光の照明位置を変化させる制御など、種々の制御を含んでいる。また、「照明光を制御する」とは、照明装置を直接的に制御することによって、照明光を制御する態様の他、照明装置とプリンタとの間に、シャッタやフィルタを配置し、これらを制御することによって、間接的に照明光を制御する態様も含まれる。
【０００８】
本発明によって、ユーザは、テレビジョン受像機の外部から、プリンタが照明装置によって照明されている部分を視認することによって、筐体内に収納されたプリンタの状態を容易に把握することができる。なお、「プリンタの状態」とは、プリンタの電源のオン・オフ状態や、印刷用紙の残量や、インクの残量や、紙詰まりの有無や、印刷を実行しているか否かなど、種々の状態を含んでいる。
【０００９】
上記テレビジョン受像機において、
前記制御部は、前記プリンタの動作状況に応じて、前記制御を行うようにしてもよい。
【００１０】
こうすることによって、ユーザは、テレビジョン受像機の外部から、筐体内に収納されたプリンタの動作状況を容易に把握することができる。
【００１１】
さらに、上記テレビジョン受像機において、
前記制御部は、前記プリンタが印刷を行っているときに、前記照明装置が前記プリンタを照明するように、前記制御を行うようにしてもよい。
【００１２】
例えば、プリンタが印刷を行っているときに、照明装置を点灯させてプリンタを照明し、プリンタが印刷を行っていないときには、照明装置を消灯させてプリンタを照明しない態様が挙げられる。
【００１３】
こうすることによって、ユーザは、テレビジョン受像機の外部から、筐体内に収納されたプリンタが印刷を行っていることを容易に把握することができる。
【００１４】
さらに、上記テレビジョン受像機において、
前記プリンタは、互いに異なる色のインクを、所定の印刷媒体上に、所定の順序で付着させることによって印刷を行うカラープリンタであり、
前記照明装置は、前記照明光の色を変化させることが可能であり、
前記制御部は、前記プリンタが印刷を行っているインクの色に応じて、前記照明光の色を変化させるようにしてもよい。
【００１５】
互いに異なる色のインクを、所定の印刷媒体上に、所定の順序で付着させることによって印刷を行うカラープリンタとしては、例えば、熱昇華型カラープリンタが挙げられる。また、照明光の色を変化させることが可能な照明装置としては、例えば、赤色ＬＥＤと、緑色ＬＥＤと、青色ＬＥＤなど、複数色のＬＥＤを用いた照明装置が挙げられる。
【００１６】
本発明によって、ユーザは、照明光の色を観察することによって、テレビジョン受像機の外部から、筐体内に収納されたプリンタが印刷を行っているインクの色を容易に把握することができる。
【００１７】
さらに、上記テレビジョン受像機において、前記照明光の色は、任意に設定可能であるが、
前記制御部は、前記照明光の色を、前記プリンタが印刷を行っているインクの色とほぼ同じ色に変化させるようにすることが好ましい。
【００１８】
例えば、プリンタがイエロインクを用いて印刷を行っているときには、照明光の色をイエロに制御し、マゼンタインクを用いて印刷を行っているときには、照明光の色をマゼンタに制御し、シアンインクを用いて印刷を行っているときには、照明光の色をシアンに制御する態様が挙げられる。
【００１９】
こうすることによって、ユーザは、照明光の色を観察することによって、テレビジョン受像機の外部から、筐体内に収納されたプリンタが印刷を行っているインクの色を、感覚的に容易に把握することができる。
【００２０】
なお、本発明は、上述した種々の特徴を必ずしも全て備えている必要はなく、その一部を省略したり、適宜、組み合わせたりして構成することができる。
【発明を実施するための最良の形態】
【００２１】
以下、本発明の実施の形態について、実施例に基づき以下の順序で説明する。
Ａ．テレビジョン受像機の構成：
Ｂ．印刷処理：
Ｃ．変形例：
【００２２】
Ａ．テレビジョン受像機の構成：
図１は、本発明の一実施例としてのプリンタ内蔵型テレビジョン受像機１００（以下、単にテレビジョン受像機１００と呼ぶ）の外観を示す正面図である。本実施例のテレビジョン受像機１００は、後述するように、液晶プロジェクタを内蔵した、いわゆるリアプロジェクションテレビである。
【００２３】
テレビジョン受像機１００は、図示するように、スクリーン１０や、右側スピーカ２０Ｒや、左側スピーカ２０Ｌや、ＤＶＤドライブ３０や、カードリーダ４０や、プリンタ５０や、プリンタ５０を照明するための照明装置６０などを備えている。プリンタ５０と、照明装置６０とは、テレビジョン受像機１００の筐体正面に設けられた収納ボックス１２内に納められている。このため、照明装置６０が消灯しているときには、収納ボックス１２内のプリンタ５０の周辺は、テレビジョン受像機１００の筐体外部よりも暗い。プリンタ５０は、ユーザが、プリンタ５０の照明装置６０によって照明されている部分を、テレビジョン受像機１００の筐体外から視認可能な位置に設置されている。本実施例において、プリンタ５０は、いわゆる熱昇華型カラープリンタである。
【００２４】
本実施例のテレビジョン受像機１００は、通常のテレビジョン信号を受信して、スクリーン１０に映像を出力する他、ＤＶＤドライブ３０や、カードリーダ４０から読み出された画像をスクリーン１０に出力することも可能である。さらに、テレビジョン受像機１００は、テレビジョン信号からキャプチャした画像や、ＤＶＤドライブ３０や、カードリーダ４０から読み出された画像を、プリンタ５０によって印刷することも可能である。
【００２５】
テレビジョン受像機１００の操作は、図示しないリモートコントローラ（リモコン）を用いて行うことができる。リモコンには、電源をオン・オフするためのボタンや、テレビジョン信号のチャンネルを選択するためのボタンの他、スクリーン１０に表示中の画像を一時停止するための「一時停止」ボタンや、一時停止した画像をプリンタ５０によって印刷するための「プリント」ボタンなども備えている。
【００２６】
図２は、テレビジョン受像機１００の概略構成を示す説明図である。テレビジョン受像機１００は、図示するように、テレビジョン機能部１１０と、プリンタ５０と、照明装置６０とを備えている。照明装置６０は、赤（Ｒ）、緑（Ｇ）、青（Ｂ）の３色のＬＥＤを備えている。
【００２７】
テレビジョン機能部１１０は、ＣＰＵや、メモリを内蔵したマイクロコントロールユニット（以下、ＭＣＵと呼ぶ）１２０と、チューナ１２１と、デコーダ１２２と、メモリコントローラ１２３と、フレームメモリ１２４と、画像処理部１２５と、液晶パネル（ＬＣＤ）コントローラ１２６と、液晶パネル（ＬＣＤ）と、照明光学系１２８と、投写光学系１２９と、音声信号出力部１３０と、左右のスピーカ２０Ｒ，２０Ｌと、リモコン信号受信部１４０と、入出力インタフェース１５０と、ＤＶＤドライブ３０と、カードリーダ４０とを備えている。
【００２８】
ＭＣＵ１２０は、リモコン信号受信部１４０や、入出力インタフェース１５０から入力された信号に基づいて、テレビジョン機能部１１０内の各部の制御を行う。また、ＭＣＵ１２０は、リモコン信号受信部１４０から画像の印刷指示が入力されたときには、後述するメモリコントローラ１２３によってフレームメモリ１２４から読み出された画像信号を、ＪＰＥＧ形式の画像データに変換して、プリンタ５０に送信する。
【００２９】
チューナ１２１は、ＭＣＵ１２０を介して、リモコン信号受信部１４０によって受信した信号に基づいて、アンテナ２００から受信すべきテレビジョン信号のチャンネルを選局して受信し、受信したテレビジョン信号（アナログ信号）をデコーダ１２２に供給する。
【００３０】
デコーダ１２２は、チューナ１２１から供給されたテレビジョン信号をディジタル信号に変換し、このディジタル信号に含まれる画像信号をメモリコントローラ１２３に供給するとともに、音声信号を音声信号出力部に供給する。音声信号出力部１３０は、デコーダ１２２から供給された音声信号を増幅して、スピーカ２０Ｒ，２０Ｌに出力する。
【００３１】
メモリコントローラ１２３は、デコーダ１２２から供給された画像信号や、ＤＶＤドライブ３０や、カードリーダ４０から読み出された画像信号を、フレームメモリ１２４に書き込んだり、読み出したりするための制御を行う。また、メモリコントローラ１２３は、フレームメモリ１２４から読み出した画像信号を、画像処理部１２５に供給する。
【００３２】
画像処理部１２５は、メモリコントローラ１２３から供給された画像信号に対して、輝度調整、色バランス調整、コントラスト調整、シャープネス調整などの画質調整や、画像のサイズを調整する処理等の各種画像処理を施し、液晶パネルコントローラ１２６へ供給する。
【００３３】
液晶パネルコントローラ１２６は、画像処理部１２５から供給された画像信号に基づいて、液晶パネル１２７の駆動を制御する。液晶パネル１２７は、照明光学系１２８から射出された照明光を、液晶パネルコントローラ１２６から供給された画像信号に応じて変調する。投写光学系１２９は、液晶パネル１１４によって変調された投写光を、スクリーン１０に投写する。これにより、スクリーン１０上に画像が投写表示される。
【００３４】
なお、図示は省略しているが、このテレビジョン受像機１００は、ＲＧＢの３色分の３枚の液晶パネル１２７を有している。また、先に説明した画像処理部１２５や、液晶パネルコントローラ１２６は、３色分の画像信号を処理する機能を有している。照明光学系１２８は、白色光を３色の光に分離する色光分離光学系を有している。また、投写光学系１２９は、３色の画像光を合成してカラー画像を表す画像光を生成する合成光学系を有している。
【００３５】
プリンタ５０は、ＭＣＵ５１と、ヘッド駆動部５２と、印刷ヘッド５３と、モータ駆動部５４と、モータ５５と、ＬＥＤ駆動部５６と、入出力インタフェース５７と、メモリ５８と、タイマ５９とを備えている。テレビジョン機能部１１０の入出力インタフェース１５０と、プリンタ５０の入出力インタフェース５７とは、ＵＳＢケーブルによって接続されている。
【００３６】
ＭＣＵ５１は、テレビジョン機能部１１０の入出力インタフェース１５０、および、プリンタ５０の入出力インタフェース５７を介して、テレビジョン機能部１１０のＭＣＵ１２０から供給された信号に基づいて、プリンタ５０内の各部の制御を行う。また、ＭＣＵ５１は、テレビジョン機能部１１０のＭＣＵ１２０から供給された画像データに基づいて、印刷データを生成し、メモリ５８に記憶する。ＭＣＵ５１は、本発明における制御部に相当する。
【００３７】
ヘッド駆動部５２は、印刷ヘッド５３を駆動して、画像を印刷する。モータ駆動部５４は、モータ５５を駆動する。モータ５５は、図示しない印刷用紙を供給するための紙送りモータや、インクシートを供給するためのモータなど、各種モータを含んでいる。
【００３８】
ＬＥＤ駆動部５６は、印刷時に、照明装置６０が備える赤（Ｒ）、緑（Ｇ）、青（Ｂ）の３色のＬＥＤを駆動する。これらの駆動態様については、後述する。
【００３９】
Ｂ．印刷処理：
図３は、印刷処理の流れを示すフローチャートである。図の左側にテレビジョン機能部（ＴＶ）１１０における処理の流れを、図の中央にプリンタ５０における処理の流れを、図の右側に照明装置（ＬＥＤ）６０の動作の流れを、それぞれ示した。
【００４０】
この印刷処理は、スクリーン１０に画像が表示されているときに、ユーザがリモコンの「一時停止」ボタンを押下して表示画像を一時停止した後、「プリント」ボタンを押下して印刷指示を行ったときに実行される処理である。
【００４１】
まず、テレビジョン機能部１１０のＭＣＵ１２０は、メモリコントローラ１２３によって、フレームメモリ１２４から、一時停止された画像の画像信号を読み出し、ＪＰＥＧ形式の画像データに変換して、プリンタ５０に送信する（ステップＳ１００）。
【００４２】
プリンタ５０のＭＣＵ５１は、画像データを受信すると（ステップＳ２００）、この画像データに基づいて、印刷データを生成し（ステップＳ２１０）、メモリ５８に記憶する。そして、この印刷データに基づいて、印刷を実行する（ステップＳ２２０）。
【００４３】
プリンタ５０は、印刷時には、イエロインク、マゼンタインク、シアンインクの順で印刷を行う。プリンタ５０のＭＣＵ５１は、イエロインクを用いた印刷を開始すると（ステップＳ２２１）、ＬＥＤ駆動部５６によって、照明装置６０の赤色ＬＥＤと、緑色ＬＥＤとを点灯させ（ステップＳ３００）、イエロの照明光をプリンタ５０に照明する。
【００４４】
次に、プリンタ５０のＭＣＵ５１は、イエロインクを用いた印刷が終了し、マゼンタインクを用いた印刷を開始すると（ステップＳ２２４）、ＬＥＤ駆動部５６によって、照明装置６０の赤色ＬＥＤと、青色ＬＥＤとを点灯させ（ステップＳ３１０）、マゼンタの照明光をプリンタ５０に照明する。
【００４５】
次に、プリンタ５０のＭＣＵ５１は、マゼンタインクを用いた印刷が終了し、シアンインクを用いた印刷を開始すると（ステップＳ２２５）、ＬＥＤ駆動部５６によって、照明装置６０の緑色ＬＥＤと、青色ＬＥＤとを点灯させ（ステップＳ３２０）、シアンの照明光をプリンタ５０に照明する。
【００４６】
そして、プリンタ５０のＭＣＵ５１は、シアンインクを用いた印刷が終了すると（ステップＳ２２６：ＹＥＳ）、ＬＥＤ駆動部５６によって、照明装置６０の各ＬＥＤを消灯させ（ステップＳ３３０）、印刷処理を終了する。
【００４７】
このように、プリンタ５０が印刷を行っているインクの色に応じて照明装置６０の照明光の色を変化させることによって、ユーザは、テレビジョン受像機１００の外部から、照明装置６０の照明光の色を観察することにより、収納ボックス１２内に収納されたプリンタ５０が印刷を行っているインクの色を、感覚的に容易に把握することができる。
【００４８】
プリンタ５０のＭＣＵ５１は、また、イエロインクを用いた印刷を開始すると同時に、全印刷に要する所要時間を算出し、タイマ５９を始動して（ステップＳ）、印刷に要する残り時間をテレビジョン機能部１１０に送信する（ステップＳ２２３）。この印刷残り時間の送信は、シアンインクを用いた印刷（Ｓ２２５）、すなわち、全印刷が終了するまで（ステップＳ２２６：ＹＥＳ）、繰り返される。
【００４９】
テレビジョン機能部１１０のＭＣＵ１２０は、プリンタ５０のＭＣＵ５１から印刷残り時間を受信すると（ステップＳ１１０）、その残り時間をスクリーン１０に表示させる（ステップＳ１２０）。テレビジョン機能部１１０のＭＣＵ１２０は、プリンタ５０から受信した印刷残り時間が０になるまで（ステップＳ１３０：ＮＯ）、ステップＳ１１０、１２０の処理を繰り返す。テレビジョン機能部１１０のＭＣＵ１２０は、プリンタ５０から受信した残り時間が０になると（ステップＳ１３０：ＹＥＳ）、ユーザに印刷が終了したことを報知するためのビープ音を発生し（ステップＳ１４０）、印刷処理を終了する。
【００５０】
以上説明した本実施例のテレビジョン受像機１００によれば、ユーザは、テレビジョン受像機１００の外部から、プリンタ５０が照明装置６０によって照明されている部分を視認することによって、収納ボックス１２内に収納されたプリンタ５０の状態を容易に把握することができる。
【００５１】
Ｃ．変形例：
以上、本発明の実施の形態について説明したが、本発明はこのような実施の形態になんら限定されるものではなく、その要旨を逸脱しない範囲内において種々なる態様での実施が可能である。例えば、以下のような変形例が可能である。
【００５２】
Ｃ１．変形例１：
上記実施例では、テレビジョン受像機１００が印刷処理を実行しているときに、プリンタ５０が印刷を行っているインクの色に応じて、照明装置６０の照明光の色を変化させるものとしたが、これに限られない。本発明では、一般に、プリンタ５０の状態に応じて、照明装置６０の照明光の制御を行えばよい。「プリンタの状態」とは、プリンタの電源のオン・オフ状態や、印刷用紙の残量や、インクシートの残量や、紙詰まりの有無や、印刷を実行しているか否かなど、種々の状態を含んでいる。したがって、例えば、印刷処理を実行しているか否かに関わらず、印刷用紙の残量が所定値以下のときに、赤色ＬＥＤを点滅させたり、インクシートの残量が所定値以下のときに、緑色ＬＥＤを点滅させたり、紙詰まりが発生しているときに、青色ＬＥＤを点滅させたりといった種々の制御を行うようにしてもよい。
【００５３】
また、上記実施例では、照明装置６０が備える各ＬＥＤのオン・オフを制御することによって、照明光を直接的に制御するものとしたが、これに限られない。照明装置６０とプリンタ５０との間に、シャッタやフィルタを配置し、これらを制御することによって、間接的に照明光を制御するようにしてもよい。
【００５４】
Ｃ２．変形例２：
上記実施例では、プリンタ５０は、熱昇華型カラープリンタであるものとしたが、インクジェットプリンタなど、他のプリンタであってもよい。ただし、インクジェットプリンタの場合、印刷時には、シアンインクと、マゼンタインクと、イエロインクとを同時に用いて印刷を行うので、インクの色に応じた照明装置６０の照明光の制御は行わない。
【００５５】
Ｃ３．変形例３．
上記実施例では、テレビジョン受像機１００は、液晶プロジェクタを内蔵したリアプロジェクションテレビであるものとしたが、いわゆる液晶テレビ等、他の画像表示装置を備えるテレビジョン受像機であってもよい。
【図面の簡単な説明】
【００５６】
【図１】本発明の一実施例としてのテレビジョン受像機１００の外観を示す説明図である。
【図２】テレビジョン受像機１００の概略構成を示す説明図である。
【図３】印刷処理の流れを示すフローチャートである。
【符号の説明】
【００５７】
１００...プリンタ内蔵型テレビジョン受像機
１０...スクリーン
１２...収納ボックス
２０Ｌ...左側スピーカ
２０Ｒ...右側スピーカ
３０...ＤＶＤドライブ
４０...カードリーダ
５０...プリンタ
５１...マイクロコントロールユニット（ＭＣＵ）
５２...ヘッド駆動部
５３...印刷ヘッド
５４...モータ駆動部
５５...モータ
５６...ＬＥＤ駆動部
５７...入出力インタフェース
５８...メモリ
５９...タイマ
６０...照明装置
１１０...テレビジョン機能部
１２０...マイクロコントロールユニット（ＭＣＵ）
１２１...チューナ
１２２...デコーダ
１２３...メモリコントローラ
１２４...フレームメモリ
１２５...スケーラ
１２６...液晶パネルコントローラ
１２７...液晶パネル
１２８...照明光学系
１２９...投写光学系
１３０...音声信号出力部
１４０...リモコン信号受信部
１５０...入出力インタフェース
２００...アンテナ
【図１】
2006137007.tif 000003
【図２】
2006137007.tif 000004
【図３】
2006137007.tif 000005